(57)【特許請求の範囲】
【請求項１】
主表示部を備えた上部筐体と、操作部を備えた下部筐体とが連結機構を介して伸縮自在に連結された携帯端末であって、
前記下部筐体には、タッチパネルを備えた副表示部が、端末縮小時に前記上部筐体が位置する面とは反対側の面に、片手で保持した場合に前記操作部に親指を配置した状態で人差し指が届く位置に設けられており、
伸長状態の端末の前記主表示部に表示させる機能割り当て画面と正対するように前記タッチパネルに機能を割り当て、
前記上部筐体と前記下部筐体との位置関係に応じて、前記タッチパネルに割り当てた機能の位置を動的に変更することを特徴とする携帯端末。
【請求項２】
前記連結機構は、ヒンジであり、端末縮小時には前記タッチパネルに割り当てた機能の位置を左右反転させることを特徴とする請求項１記載の携帯端末。
【請求項３】
前記連結機構は、回転機構であり、
前記端末が短縮状態の時に前記主表示部に表示させた情報に対する入力操作を前記タッチパネルによって受け付ける時は、前記タッチパネルに割り当てた機能の位置を上下左右反転させることを特徴とする請求項１記載の携帯端末。
【請求項４】
前記連結機構は、２軸ヒンジであり、
端末縮小時に前記主表示部に表示させた情報に対する入力操作を前記タッチパネルによって受け付ける時は、前記タッチパネルに割り当てた機能の位置を上下左右を反転させることを特徴とする請求項１記載の携帯端末。
【請求項５】
前記上部筐体が伸長状態から９０°回転した状態にある場合に前記主表示部に表示させた情報に対する入力操作を前記タッチパネルによって受け付ける時は、前記タッチパネルに割り当てた機能の位置を、９０°回転させることを特徴とする請求項３又は４記載の携帯端末。
【請求項６】
前記下部筐体内部で、伸長状態では前記副表示部よりも前記上部筐体に近くなる箇所にアンテナが実装されたことを特徴とする請求項１から５のいずれか１項記載の携帯端末。
【発明の詳細な説明】
【技術分野】
【０００１】
本発明は、携帯端末に関し、特に、２以上の表示画面を備えた携帯端末に関する。
【背景技術】
【０００２】
携帯端末は、操作性の向上が従来から課題とされてきた。
【０００３】
操作性を向上させる方法の一つとして、ポインティングデバイスを導入することが考えられる。
【０００４】
携帯端末用のポインティングデバイスも実用化されているものの、静電容量型タッチパネル（主にノート型コンピュータ端末に搭載されている）やマウスといった一般的なポインティングデバイスと比較すると操作感や操作速度は劣るため、さらなる操作性の向上が要求されている。
【０００５】
また、ポインティングデバイスを携帯端末に搭載するためには、筐体の表面や内部にデバイスを実装のためのスペースを確保する必要が生じる。しかも、ポインティングデバイス自体の製造・実装コストによって、端末の価格が高騰してしまう。
【０００６】
ポインティングデバイスの実装スペースを不要とするために、主表示部にタッチパネル式の液晶を搭載することも考えられる。この方法では、ポインティングデバイスの実装スペースを確保する必要がなく、製造・実装コストも低減できる。しかし、主表示部にタッチパネルを搭載すると、ほとんどの操作を両手で行わなければならないため、ユーザの利便性を損なうこととなる。また、主表示部が皮脂で汚れてしまうため、主表示部に表示される情報を読み取りにくくなる。
【０００７】
さらに、従来の携帯端末用のポインティングデバイスは、ユーザが親指で操作するように設計されているが、文字や数字などを入力するための操作も、ユーザが親指でキーを押下することによって行われるように設計されている。このため、ポインティングデバイスによる操作（画面のスクロール、カーソルやポインタの移動など）と文字等の入力操作とを交互に行う場合などは、ポインティングデバイスと数字キーとの間で親指を頻繁に移動させなければならなくなり、軽快な操作感を損なうこととなっていた。
【０００８】
従って、全ての入力操作を片手で行うことができ、あたかもノート型コンピュータ端末に搭載されているポインティングデバイスのような操作感を持ちながら、実装面積や体積が小さく低コストのポインティングデバイスを備えた携帯端末が要求されていた。
【０００９】
このような要求に応える従来技術としては、特許文献１に開示される「背面操作部を有する携帯電話機」がある。特許文献１に開示される発明は、本体背面にタッチパネルを有し、本体を支える指で入力操作を行える携帯電話機である。
【特許文献１】特開２０００−３２０９９号公報
【発明の開示】
【発明が解決しようとする課題】
【００１０】
しかし、特許文献１に記載の発明では、主表示部に表示された画像に応じて操作する場合と、背面表示部に表示された画像に応じて操作する場合とでは、同じ機能を割り当てられたキーの位置が反転してしまう。すなわち、主表示部を見ながら背面のタッチパネルを操作する場合は、背面液晶はユーザの視点と反対側を向き、背面表示部を見ながら操作する場合には、背面液晶はユーザと正対する。このため、主表示部を見ながら操作する際にはユーザの視点を基準にして左側に位置するようにタッチパネルに割り当てられていた機能は、背面表示部を見ながら操作する場合にはユーザの視点を基準として右側に割り当てられることとなる。よって、特許文献１に開示される発明では、背面液晶にソフトキーを割り当てると、主表示部を見ながら背面のタッチパネルを操作する場合と背面表示部を見ながら操作する場合とで操作感が異なってしまう。
【００１１】
本発明はかかる問題に鑑みてなされたものであり、主画面使用と副画面使用時とで副表示部を利用したタッチパネルの操作感が異なることのない携帯端末を提供することを目的とする。
【課題を解決するための手段】
【００１２】
本発明は、上記目的を達成するために、主表示部を備えた上部筐体と、操作部を備えた下部筐体とが連結機構を介して伸縮自在に連結された携帯端末であって、前記下部筐体には、タッチパネルを備えた副表示部が、端末縮小時に前記上部筐体が位置する面とは反対側の面に、片手で保持した場合に前記操作部に親指を配置した状態で人差し指が届く位置に設けられており、伸長状態の端末の前記主表示部に表示させる機能割り当て画面と正対するように前記タッチパネルに機能を割り当て、前記上部筐体と前記下部筐体との位置関係に応じて、前記タッチパネルに割り当てた機能の位置を動的に変更することを特徴とする携帯端末を提供するものである。
【００１３】
以上の構成においては、連結機構は、ヒンジであり、端末縮小時にはタッチパネルに割り当てた機能の位置を左右反転させることが好ましい。
【００１４】
または、連結機構は、回転機構であり、端末が短縮状態の時に表示部に表示させた情報に対する入力操作をタッチパネルによって受け付ける時は、タッチパネルに割り当てた機能の位置を上下左右反転させることが好ましい。又は、連結機構は、２軸ヒンジであり、端末縮小時に表示部に表示させた情報に対する入力操作をタッチパネルによって受け付ける時は、タッチパネルに割り当てた機能の位置を上下左右を反転させることが好ましい。これらに加えて、上部筐体が伸長状態から９０°回転した状態にある場合に表示部に表示させた情報に対する入力操作をタッチパネルによって受け付ける時は、タッチパネルに割り当てた機能の位置を、９０°回転させることがより好ましい。
【００１５】
上記のいずれの構成においても、下部筐体内部で、伸長状態では副表示部よりも上部筐体に近くなる箇所にアンテナが実装されることが好ましい。
【発明の効果】
【００１６】
本発明によれば、主画面使用と副画面使用時とで副表示部を利用したタッチパネルの操作感が異なることのない携帯端末を提供するを提供できる。
【発明を実施するための最良の形態】
【００１７】
〔第１の実施形態〕
本発明を好適に実施した第１の実施形態について説明する。図１に、本実施形態にかかる携帯電話端末の構成を示す。この携帯電話端末は、上部筐体１と下部筐体２とがヒンジ３を介して連結された折りたたみ型の端末である。
上部筐体１は、折りたたみ時に下部筐体２と相対する側に主表示部１１を備えている。下部筐体２は、折りたたみ時に外側となる側に背面表示部２１を備えている。背面表示部２１は、背面液晶２１１とタッチパネル２１２とを備えており、情報を表示する機能と、ユーザの指などによる操作受け付けるユーザインタフェースとしての機能とを兼ね備える。
また、下部筐体２は、折りたたみ時に上部筐体１と相対する側に入力キー２４を備えている。
【００１８】
背面表示部２１は、ユーザが親指を入力キー２４に触れた状態で、人差し指が届く位置に配置されている。
【００１９】
図２に、本実施形態に係る携帯電話端末の機能構成を示す。携帯電話端末は、制御部４１及び開閉検知部４２を有する。制御部４１は、携帯電話端末の本来の機能（通話、電子メール、インターネット接続等）を実現するための機能に加え、タッチパネル２１２の任意の領域に任意の機能を割り当てる機能を有する。開閉検知部４２は、携帯電話端末が折りたたまれた状態にあるか、開き伸ばされた状態にあるかを検出するセンサである。
【００２０】
タッチパネル２１２を複数の領域に分割して機能を割り当てる場合、制御部４１は、主表示部１１とは正対するように機能を割り当て、開閉検知部４２の検出結果に基づいて（端末が伸長状態にあるか折りたたみ状態にあるかに応じて）、割り当てた機能の位置を左右反転させるか否かをを判断する。
制御部４１は、背面表示部２１のどの部分にどの機能を割り当てたのかを主表示部１１に表示する。端末が伸長状態にあるならば、図３に示すように、タッチパネル２１２に割り当てた機能の位置を左右反転させる。例えば、主表示部１１で右側に表示した機能が、背面表示部２１と正対して見た場合にタッチパネル２１２の左側となる部分に位置し、主表示部１１で左側に表示した機能が、タッチパネル２１２の右側となる部分に位置するように機能の位置を反転させる。
これにより、ユーザからしてみれば、主表示部１１に表示された画面と同じようにタッチパネル２１２に機能が割り当てられる。
【００２１】
一方、端末が折りたたみ状態にあるならば、制御部４１は、タッチパネル２１２に割り当てた機能の位置を反転させない。
【００２２】
これにより、端末を開き伸ばした状態にあるか折りたたんだ状態にあるかにかかわらず、同じ操作感で操作を行える。
【００２３】
なお、アンテナ素子を下部筐体２に収容する場合には、図４に示すように伸長時に背面表示部２１よりも上部筐体１に近くなる位置にアンテナ素子が収容されるようにすることが好ましい。
図５（ａ）に示すように、ユーザの指がアンテナ素子にかかると通信性能が低下するが、伸長時に背面表示部２１よりも上部筐体１に近くなる位置にアンテナ素子が収容するとともに背面表示部２１をポインティングデバイスとして活用することによって、ユーザの指がアンテナ素子にかかることを防止できる（図５（ｂ））。
【００２４】
このように、本実施形態に係る携帯電話端末は、入力キー２４の操作は親指で、タッチパネル２１２の操作は人差し指で行えるため、端末を操作する際に入力キーとポインティングデバイスとの間で指を移動させる必要がない。よって、軽快な操作感が得られる。
【００２５】
〔第２の実施形態〕
本発明を好適に実施した第２の実施形態について説明する。図６に、本実施形態にかかる携帯電話端末の構成を示す。この携帯電話端末は、上部筐体１と下部筐体２とが二軸ヒンジ５を介して連結された折りたたみ型の端末である。
【００２６】
上部筐体１は、主表示部１１を備えている。下部筐体２は、折りたたみ時に外側となる側に背面表示部２１を備えている。背面表示部２１は、背面液晶２１１とタッチパネル２１２とを備えており、情報を表示する機能と、ユーザの指などによる操作受け付けるユーザインタフェースとしての機能とを兼ね備える。
また、下部筐体２は、折りたたみ時に上部筐体１と相対する側に入力キー２４を備えている。
【００２７】
背面表示部２１は、ユーザが親指を入力キー２４に触れた状態で、人差し指が届く位置に配置されている。
【００２８】
図７に、本実施形態に係る携帯電話端末の機能構成を示す。第１の実施形態と同様の部分については同じ符号を用いて示し、重複する説明は省略する。センサ４５は、上部筐体１がどのような状態にあるか（換言すると、主表示部１１がどの方向を向いているか）を検出するためのセンサである。状態判定部４６は、センサ４５からの出力に基づいて、上部筐体がどのような状態にあるかを判断する。
【００２９】
タッチパネル２１２を複数の領域に分割して機能を割り当てる場合、制御部４１は、主表示部１１に表示した情報とは正対するようにタッチパネル２１２に割り当てる（図８（ａ））。
そして、状態判定部４６からの出力に基づいて、タッチパネル２１２に割り当てた機能の位置を左右反転、上下反転、回転させ、上部筐体１と下部筐体２との位置関係に応じて動的に変更する。
例えば、携帯電話端末がまっすぐに伸びた状態にあり、主表示部１１が背面液晶２１２と同じ方向を向いている場合には、タッチパネル２１２に割り当てた機能の位置を左右反転させる（図８（ｂ））。
また、携帯電話端末が折りたたまれた状態にあり、主表示部１１が露出している場合には、タッチパネル２１２に割り当てた機能の位置を上下左右に反転させる（図８（ｃ））。
あるいは、上部筐体１と下部筐体２とが交差する状態にある場合には、タッチパネルに２１２に割り当てた機能の位置を９０°回転させる（図８（ｄ））。
【００３０】
これにより、携帯電話端末がどのような状態にあるか（換言すると、上部筐体１がどの方向を向いているか）にかかわらず、同じ操作感で操作を行える。
【００３１】
このように、本実施形態に係る携帯電話端末は、入力キー２４の操作は親指で、タッチパネル２１２の操作は人差し指で行えるため、端末を操作する際に入力キーとポインティングデバイスとの間で指を移動させる必要がない。よって、軽快な操作感が得られる。
【００３２】
なお、上記各実施形態は本発明の好適な実施の一例であり、本発明はこれに限定されることはない。
例えば、上記各実施形態においては、上下筐体がヒンジや二軸ヒンジを介して連結された折りたたみ型の携帯電話端末を例に説明を行ったが、回転型、スライド型などでも同様の効果が得られる。
ただし、これらのタイプの端末は、端末を畳んだ状態でも主表示部を露出可能であるため、端末を畳んだ状態で主表示部を見ながらタッチパネルを操作する場合もあり得る。このような場合には、回転型や２軸ヒンジ型の端末であれば、伸長時と上下左右を反転させてタッチパネルに機能を割り当てれば良い。また、スライド型の端末であれば、伸長時と同様にタッチパネルに機能を割り当てれば良い。
なお、２軸ヒンジ型の端末で、端末を畳んだ状態で背面表示部を見ながらタッチパネルを操作する場合は、上記実施形態に示した例と同様にタッチパネルに機能を割り当てれば良い。すなわち、２軸ヒンジ型の場合は、折りたたみ状態に二つの形態があるため、これらを検出するセンサを設け、機能を割り当てを切り換えれば良い。
また、上記実施形態では、主表示部が上部筐体の正面側に、副表示部が下部筐体の背面側に設けられた構成を例としたが、副表示部が下部筐体の両側面にあっても良い。換言すると、主表示部と背面表示部とが筐体の前後にある場合を例としたが、これらが端末の左右面や上下面にそれぞれ配置された構成であっても良い。すなわち、対向する面にそれぞれ配置された二つの表示部を備えた携帯端末であれば、本発明を適用可能であり、上記同様の効果が得られる。
また、必ずしも端末が伸縮可能な構成である必要ではなく、ストレート型の端末において、主表示部に表示した情報に対する入力を受け付ける場合と、副表示部に表示した情報に対する入力を受け付ける時とで、タッチパネルに割り当てる機能を左右反転させても良い。
このように、本発明は様々な変形が可能である。
【図面の簡単な説明】
【００３３】
【図１】本発明を好適に実施した第１の実施形態にかかる折りたたみ型携帯端末の外観を示す図である。
【図２】第１の実施形態にかかる折りたたみ型携帯端末の機能ブロック図である。
【図３】背面表示部が備えるタッチパネルにソフトキーを割り当てた状態を示す図である。
【図４】第１の実施形態にかかる折りたたみ型携帯端末にアンテナ素子を搭載した状態を示す図である。
【図５】アンテナを備えた折りたたみ型携帯端末を使用する際のユーザの指の位置を示す図であり、（ａ）は従来の携帯端末、（ｂ）は第１の実施形態にかかる携帯端末を示す。
【図６】本発明を好適に実施した第２の実施形態にかかる折りたたみ型携帯端末の外観を示す図である。
【図７】第２の実施形態にかかる折りたたみ型携帯端末の機能ブロック図である。
【図８】第２の実施形態にかかる折りたたみ型携帯端末の上部筐体及び下部筐体の位置関係と、タッチパネルに割り当てた機能の位置との関係を示す図である。
【符号の説明】
【００３４】
１    上部筐体
２    下部筐体
３    ヒンジ
５    二軸ヒンジ
１１    主表示部
２１    背面表示部
２４    入力キー
４１    制御部
４２    開閉検知部
２１１    背面液晶
２１２    タッチパネル
【図１】
0004569411.tif 000002
【図２】
0004569411.tif 000003
【図３】
0004569411.tif 000004
【図４】
0004569411.tif 000005
【図５】
0004569411.tif 000006
【図６】
0004569411.tif 000007
【図７】
0004569411.tif 000008
【図８】
0004569411.tif 000009